(57)【要約】【課題】受信復調信号にノイズが重畳して受信された時のＵＷ信号の誤認識を防止することができるＵＷ信号の検出方法。【解決手段】ＵＷ符号誤り検出器を用いて受信復調信号から検出されるＵＷ符号のエラー数を算出する第１のステップと、このエラー数が所定値以下であるかの判定を行う第２のステップと、この判定が可である場合に受信側で既知のＵＷ信号と受信復調信号との相関値を算出する第３のステップと、この算出値が予め定めたしきい値を越えるか否かの判定を行う第４のステップと、相関ピーク点を算出する第５のステップと、相関ピーク点によって隣り合う相関ピーク点の相互間の時間幅を求め受信側で既知のＵＷ信号における隣り合う信号間の時間幅と一致するかの判定を行う第６のステップと、この判定が可である場合に相関ピーク点をフレーム同期位置として認識する第７のステップと、を備えた。【選択図】      図１
2007060101.tif 000002
【特許請求の範囲】
【請求項１】
受信復調信号に含まれているフレーム同期のためのＵＷ信号によってフレーム同期位置を認識するために、
ＵＷ符号誤り検出器を用いて前記受信復調信号から検出される前記ＵＷ符号のエラー数を算出する第１のステップと、
該算出されたＵＷ符号のエラー数が所定値以下であるかの判定を行う第２のステップと、
該第２のステップにおける判定が可である場合に受信側で既知のＵＷ信号と前記受信復調信号との相関値を算出する第３のステップと、
該相関値の算出結果によって得られた相関値が予め定めたしきい値を越えるか否かの判定を行う第４のステップと、
該第４のステップにおける判定が可である場合に前記相関値を相関ピーク値とし、該相関ピーク値によって相関ピーク点を算出する第５のステップと、
該第５のステップにおいて得られた前記相関ピーク点によって隣り合う該相関ピーク点の相互間の時間幅を求め前記受信側で既知のＵＷ信号における隣り合う信号間の時間幅と一致するかの判定を行う第６のステップと、
該第６のステップにおける判定が可である場合に前記相関ピーク点を前記フレーム同期位置として認識する第７のステップと、を備えたＵＷ信号の検出方法。
【発明の詳細な説明】
【技術分野】
【０００１】
本発明は、受信復調信号に含まれているフレーム同期のためのＵＷ信号の認識に関するものである。
【背景技術】
【０００２】
従来、受信復調信号に含まれているフレーム同期のためのＵＷ（Ｕｎｉｑｕｅ Ｗｏｒｄ ；高い相関値を得ることができる符号列、例えばＰＮ符号）信号の認識の方法として、図５に示すように、ＵＷ信号及びデータ信号を符号列として有する受信復調信号（１−１）と受信側で既知のＵＷ（１−２）信号との相関値の算出（１−３）を行い、相関値を算出し、この相関値が予め定めたしきい値Ｌｔ（１−４）を超えているかを判定し、超えている相関値を相関ピーク値（ｐ０）として判定し、この相関ピーク値（ｐ０）を受信復調信号のＵＷ信号であるとして認識してフレーム同期位置を得るものである。
【０００３】
図６は、従来のＵＷ信号の認識動作を示すフロー図である。フレーム同期の動作開始後、第１のステップ（Ｓ１）ではＵＷ符号誤り検出器を用いて受信復調信号からＵＷ符号のエラー数を算出する。第２のステップ（Ｓ２）では算出されたＵＷ符号のエラー数が所定値以下であるかの判定を行う。第３のステップ（Ｓ３）では第２のステップ（Ｓ２）における判定が可（ＹＥＳ）である場合、即ち、ＵＷ符号のエラー数が所定値以下である場合に、受信側で既知のＵＷ信号と受信復調信号との相関値を算出する。第４のステップ（Ｓ４）では相関値の算出結果によって得られた相関ピーク値が予め定めたしきい値Ｌｔを越えるかの判定を行う。第５のステップ（Ｓ５）では第４のステップにおける判定が可である場合、即ち、相関ピーク値が予め定めたしきい値Ｌｔを越えた場合に、相関ピーク値をフレーム同期位置として認識する。但し、第６のステップ（Ｓ６）では第２のステップ（Ｓ２）及び第４のステップ（Ｓ４）の判定において否（ＮＯ）とされたときフレーム同期確立失敗となる。
【０００４】
しかし、この従来技術では、図７に示すように、空間波ノイズが優勢に受信されるようなノイズ復調信号（２−１）の受信中においても、ＵＷ信号との相関値算出結果（２−２）、相関ピーク値（ｐ１、ｐ２、ｐ３）がしきい値Ｌｔ（２−３）以上となって現れることがあり、ＵＷ信号であると誤認識をしてしまうことが起こり得る。これでは、誤ったフレーム同期位置として認識してしまうことになる。
【０００５】
このような誤認識を防止するため、相関ピーク値のしきい値判定に際し、高い値のしきい値と低い値のしきい値を設けてフレーム同期位置検出の確度を上げようとするものがある。（特許文献１参照）。
【特許文献１】特開平７−２５０１２０号公報（第５頁図３）
【発明の開示】
【発明が解決しようとする課題】
【０００６】
しかし、以上のような従来の判定方法は、広帯域伝送におけるマルチパスによって周波数選択性フェージングを受けた受信復調信号に含まれるＵＷ信号によって同期をとる際の誤同期の発生を回避するための提案であって、空間波雑音（ホワイトノイズ等）が受信復調信号として入力されたときに起きるフレーム同期誤りの問題が解決されていない。
【０００７】
本発明の目的は、受信復調信号にノイズが重畳して受信された時のＵＷ信号の誤認識を防止することができるＵＷ信号の検出方法を提供することにある。
【課題を解決するための手段】
【０００８】
この課題を解決するために、本発明によるＵＷ信号の検出方法は、受信復調信号に含まれているフレーム同期のためのＵＷ信号によってフレーム同期位置を認識するために、
ＵＷ符号誤り検出器を用いて前記受信復調信号から検出される前記ＵＷ符号のエラー数を算出する第１のステップと、
該算出されたＵＷ符号のエラー数が所定値以下であるかの判定を行う第２のステップと、
該第２のステップにおける判定が可である場合に受信側で既知のＵＷ信号と前記受信復調信号との相関値を算出する第３のステップと、
該相関値の算出結果によって得られた相関値が予め定めたしきい値を越えるか否かの判定を行う第４のステップと、
該第４のステップにおける判定が可である場合に前記相関値を相関ピーク値とし、該相関ピーク値によって相関ピーク点を算出する第５のステップと、
該第５のステップによって得られた前記相関ピーク点によって隣り合う該相関ピーク点の相互間の時間幅を求め前記受信側で既知のＵＷ信号における隣り合う信号間の時間幅と一致するかの判定を行う第６のステップと、
該第６のステップにおける判定が可である場合に前記相関ピーク点を前記フレーム同期位置として認識する第７のステップと、を備えた。
【発明の効果】
【０００９】
本発明を実施することにより、空間波雑音によるＵＷ信号の誤認識が防止され、フレーム同期確立の確度を向上させるので高信頼の移動通信データ伝送が行えるような効果を得ることができる。
【発明を実施するための最良の形態】
【００１０】
図面により実施例を示し、本発明を詳細に説明する。
図１は本発明によるＵＷ信号の検出方法を実現するブロック図である。
１は、受信側を送信側のデータのフレームタイミングに同期させるためにデータに付加されたフレーム同期用の符号列である予め定めたＵＷ（Ｕｎｉｑｕｅ Ｗｏｒｄ ）を受信側で参照用として発生させる既知ＵＷ信号のＵＷ信号発生器である。
２は、送信側から伝送され受信された受信復調信号とＵＷ発生器１から出力されるＵＷ符号との間で相互相関を算出し相関値を得て、これを出力する相関値算出器である。
３は、受信復調信号からＵＷ符号のエラー数を算出するＵＷ符号誤り検出器である。
４は、ＵＷ符号のエラー数が所定値以下であるかの判定を行うＵＷ符号のエラー判定器である。
５は、相関値算出器２で得られた相関値に予め定めたしきい値Ｌｔを越えるものがあるかの判定を行い、超えたものを相関ピーク値として認識する相関値判定器である。
６は、得られた相関ピーク値から相関ピーク点を算出する相関ピーク点算出器である。
７は、相関ピーク点によって隣り合う相関ピーク点間の時間幅を求め受信側で既知のＵＷ信号における隣り合う信号間の時間幅と一致するかの判定を行う相関ピーク点間判定器である。
８は、相関ピーク点間判定器７から出力されるフレーム同期位置信号によって受信復調信号をフレーム同期させ正しい受信データを出力させるため、相関ピーク点をフレーム同期位置として認識するフレーム同期回路である。
【００１１】
図２はＵＷ相関値算出器２の出力である相関値の第１の時間軸波形である。
これは、受信復調信号が希望信号の成分（ＵＷ３−１；ＵＷ信号、データ信号）に比較して雑音成分が極めて少ない良好な受信状況のときにおける相関値の時間軸波形である。
図２に示すように、相関値の時間軸波形が予め定めたしきい値Ｌｔ（破線で示す。）を超えた相関値のピークを検出し、相関ピーク値（３−２；ｐ０１、ｐ０２、ｐ０３）が得られる。この相関ピーク値（３−２；ｐ０１、ｐ０２、ｐ０３）によって、更に、相関ピーク値の演算処理を行ない、相関ピーク値の極大値点である相関ピーク点（Ｐ０１、Ｐ０２、Ｐ０３）が得られる。
相関ピーク点（Ｐ０１）と相関ピーク点（Ｐ０２）の時間幅が計算され、その結果、相関ピーク点間隔ｔ０が求まる。同様に、相関ピーク点（Ｐ０２）と相関ピーク点（Ｐ０３）の時間幅が計算され相関ピーク点間隔ｔ０が求まる。
このようにして、Ｐ０３が受信復調信号の符号列のフレーム同期位置として認識され、フレーム同期位置信号が求められる。
【００１２】
図３はＵＷ相関器２の出力である相関値の第２の時間軸波形例である。
受信復調信号のなかで、希望信号の成分に比較して雑音の成分が極めて多いか、又は雑音の成分のみであるような、劣悪な受信状況のときを模した相関値の時間軸波形である。
図３に示すように、相関値の時間軸波形が予め定めたしきい値Ｌｔ（破線で示す。）を超えた相関値を検出し、相関ピーク値（４−２；ｐ１、ｐ２、ｐ３）が得られる。この相関ピーク値（４−２；ｐ１、ｐ２、ｐ３）から更に、相関ピーク値の演算処理によって、相関ピーク値の極大値点である相関ピーク点（Ｐ１、Ｐ２、Ｐ３）が得られる。
相関ピーク点（Ｐ１）と相関ピーク点（Ｐ２）の時間幅が計算され相関ピーク点間隔ｔ１が求まる。同様に、相関ピーク点（Ｐ２）と相関ピーク点（Ｐ３）の時間幅が計算され相関ピーク点間隔ｔ２が求まる。
ノイズ信号である場合には、相関ピークが現れたり、現れなかったりランダムな現象として現れ、相関ピーク点間隔もばらばらである。従って、相関ピーク点間隔ｔ１、ｔ２は、ｔ１＜ｔ０であったりｔ２＞ｔ０であったりする。発明はこのことに着眼したものである。
【００１３】
図４は、本発明によるＵＷ信号の検出方法を示すフロー図である。
受信復調信号に含まれているフレーム同期のためのＵＷ信号によってフレーム同期位置を認識するためのフロー図として、フレーム同期の動作開始から始められる。
第１のステップ（Ｓ１）では、受信復調信号をＵＷ符号誤り検出器によりＵＷ符号エラー数を算出する。
第２のステップ（Ｓ２）では、第１のステップ（Ｓ１）で算出されたＵＷ符号エラー数が所定値以下であるかの判定を行う。その結果、可（ＹＥＳ）であれば、つぎの相関値算出の演算処理に入り、否（ＮＯ）であれば相関値算出の演算処理に入ることができない。これによって荒い確度の同期前処理を行い処理時間の効率化を図る。
第３のステップ（Ｓ３）では、第２のステップ（Ｓ２）における判定が可（ＹＥＳ）であるとき、即ち、ＵＷ符号エラー数が所定値以下である場合に受信復調信号と受信側で既知のＵＷ信号との相関値を算出する。
第４のステップ（Ｓ４）では、相関値の算出結果によって得られた相関ピーク値が予め定めたしきい値Ｌｔを越えるかの判定を行う。その結果、可（ＹＥＳ）であれば、図３に示された相関ピーク値（ｐ０１、ｐ０２、ｐ０３）及び図４に示された相関ピーク値（ｐ１、ｐ２、ｐ３）が得られ、一方、否（ＮＯ）であれば相関ピーク値は得られない。
第５のステップ（Ｓ１５）では、第４のステップ（Ｓ４）における判定が可（ＹＥＳ）、即ち、相関ピーク値が予め定めたしきい値Ｌｔを越えるときには、相関ピーク値を演算することによって相関ピーク値で得られた極大点である相関ピーク点が算出される。その結果、図３に示された相関ピーク値（Ｐ０１、Ｐ０２、Ｐ０３）又は図４に示されたような相関ピーク値（Ｐ１、Ｐ２、Ｐ３）が得られる。
第６のステップ（Ｓ１６）では、第５のステップ（Ｓ１５）において得られた相関ピーク点によって隣り合う相関ピーク点間の時間幅を求め受信側で既知のＵＷ信号の時間幅と一致するかの判定を行う。即ち、図２に示されたように相関ピーク点間の時間幅ｔ０であれば一致（ＹＥＳ）であり、図３に示されたように相関ピーク点間の時間幅ｔ１、ｔ２であれば不一致（ＮＯ）である。
第７のステップ（Ｓ５）では、第６のステップ（Ｓ１６）における判定が可（ＹＥＳ）である場合、即ち、相関ピーク点間の時間幅が既知のＵＷ信号の時間幅と一致する場合には、相関ピーク点を前記フレーム同期位置として認識する。即ち、図２に示されたように、相関ピーク値（Ｐ０３）がフレーム同期位置となる。
第８のステップ（Ｓ６）では、第２のステップ（Ｓ２）、第４のステップ（Ｓ４）及び第６のステップ（Ｓ１６）のいずれかの判定において否（ＮＯ）とされたとき、フレーム同期確立失敗とする。通常は次のフレーム同期開始待ちとなる。
【産業上の利用可能性】
【００１４】
本発明は、移動通信に用いられる受信装置として通信・情報業に適用される。
【図面の簡単な説明】
【００１５】
【図１】本発明のＵＷ信号の検出方法を実現するブロック図である。
【図２】本発明のＵＷ相関値の出力である相関値の第１の時間軸波形である。
【図３】本発明のＵＷ相関器の出力である相関値の第２の時間軸波形である。
【図４】本発明のＵＷ信号の検出方法を示すフロー図である。
【図５】従来技術のＵＷ相関値算出器の出力である相関値の時間軸波形である。
【図６】従来の動作を示すフロー図である。
【図７】従来技術のＵＷ相関値算出器の出力である相関値の時間軸波形である。
【符号の説明】
【００１６】
１  ＵＷ信号発生器
２  相関値算出器
３  ＵＷ符号誤り検出器
４  ＵＷ符号のエラー判定器
５  相関値判定器
６  相関ピーク点算出器
７  相関ピーク点間判定器
８  フレーム同期回路
【図１】
2007060101.tif 000003
【図２】
2007060101.tif 000004
【図３】
2007060101.tif 000005
【図４】
2007060101.tif 000006
【図５】
2007060101.tif 000007
【図６】
2007060101.tif 000008
【図７】
2007060101.tif 000009